(57)【特許請求の範囲】
【請求項１】
内底面に固定接点が植設された上面開口で略箱形のケースと、このケース内に一端を支点として揺動可能に収納され、他端の操作部が上記ケースの開口部から上方へ突出した操作体と、中間の折曲部から下端へ延出した接触部が上記ケース内底面に弾接した可動接点からなり、上記可動接点の折曲部から延出する上端に上アーム部と下アーム部、及びこれらを連結する下方へ傾斜した段差部を設けると共に、上記下アーム部先端を上記操作体の支点部下面の保持部に、上記上アーム部を上記操作体の操作部下方の押圧部に当接させたスイッチ。
【発明の詳細な説明】
【技術分野】
【０００１】
本発明は、各種電子機器において、主に記録媒体の有無やメカニズムの動作検出等に用いられるスイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられるスイッチにおいても、小型薄型で動作の確実なものが求められている。
【０００３】
このような従来のスイッチについて、図４及び図５を用いて説明する。
【０００４】
図４は従来のスイッチの断面図であり、同図において、１は絶縁樹脂製で上面開口の略箱形のケース、２は導電金属薄板製の固定接点で、複数の固定接点２がケース１の内底面にインサート成形等によって植設固定されると共に、その端子部（図示せず）が各々外方へ延出している。
【０００５】
また、３は絶縁樹脂製の操作体で、左端の支点部３Ａを支点として揺動可能にケース１内に収納されると共に、右端に形成された操作部３Ｂがケース１上面の開口部から上方へ突出している。
【０００６】
さらに、４は中間部が折曲された弾性金属薄板製の可動接点で、やや撓んだ状態でケース１内に収納され、下端へ延出した接触部４Ａがケース１内底面に弾接している。
【０００７】
そして、可動接点４の上端へ延出したアーム部４Ｂ先端が、操作体３の支点部３Ａ下面の保持部３Ｃに弾接すると共に、アーム部４Ｂ中間部には、操作体３の操作部３Ｂ下方に形成された押圧部３Ｄが当接している。
【０００８】
また、５は金属薄板製のカバーで、このカバー５がケース１上面の開口部を覆うと共に、カバー５上面の貫通孔から操作体３の操作部３Ｂが上方へ突出して、スイッチが構成されている。
【０００９】
そして、このように構成されたスイッチは、上下面に複数の配線パターンが形成された配線基板（図示せず）上に載置され、ケース１から延出した固定接点２の端子部が、所定の配線パターンに半田付けされて、機器の電子回路に電気的に接続される。
【００１０】
以上の構成において、テープやディスク等の記録媒体の挿抜、或いはツマミや扉等のメカニズムによって、ケース１上方へ突出した操作部３Ｂが押圧操作されると、図５の断面図に示すように、操作体３が支点部３Ａを支点として下方向へ揺動する。
【００１１】
これによって、可動接点４のアーム部４Ｂ中間部が操作体３の押圧部３Ｄに押圧され、ケース１の内底面に弾接した可動接点４下端の接触部４Ａが、固定接点２の方向へケース１内底面上を弾接摺動する。
【００１２】
そして、操作部３Ｂが所定量押圧されると、接触部４Ａが固定接点２上面に弾接し、可動接点４を介して複数の固定接点２間が電気的に接続される。
【００１３】
また、操作体３への操作力が解除されると、可動接点４の弾性復帰力によって、操作体３が上方向に押圧されて揺動すると共に、接触部４Ａも固定接点２からケース１内底面へ弾接摺動して離れ、複数の固定接点２間が切断された、図４の状態に復帰するように構成されている。
【００１４】
つまり、操作体３の押圧操作によって、押圧部３Ｄでアーム部４Ｂを押圧して可動接点４を弾性変形させ、この可動接点４の撓みによる弾性力によって、押圧操作時の接触部４Ａの固定接点２上面への弾接力や、操作力を解除した際の操作体３の復帰力が得られるようになっている。
【００１５】
なお、このようなスイッチの小型薄型化、特に上下方向の薄型化を図ろうとする場合、可動接点４中間部の折曲角度を小さなものとすれば、その分、アーム部４Ｂに当接する操作体３の保持部３Ｃや押圧部３Ｄの位置を下げ、薄型化することが可能であるが、可動接点４全体の撓み量もその分小さくなってしまう。
【００１６】
従って、図５の操作部３Ｂが押圧操作された状態では、接触部４Ａが固定接点２上面に弾接する力が小さなものとなり、図４の操作体３が復帰した状態では、操作体３を上方へ付勢する力が小さなものとなってしまうものであった。
【００１７】
なお、この出願の発明に関連する先行技術文献情報としては、例えば、特許文献１が知られている。
【特許文献１】特開２００５−２６０３５号公報
【発明の開示】
【発明が解決しようとする課題】
【００１８】
しかしながら、上記従来のスイッチにおいては、薄型化を図るため、可動接点４中間部の折曲角度を小さくすると、可動接点４全体の撓み量も小さくなり、接触部４Ａが固定接点２上面に弾接する力や、操作体３を上方へ付勢する力が小さなものとなり、スイッチとしての安定した電気的接離や確実な動作が行いづらくなるという課題があった。
【００１９】
本発明は、このような従来の課題を解決するものであり、小型薄型化が図れ、動作の確実なスイッチを提供することを目的とする。
【課題を解決するための手段】
【００２０】
上記目的を達成するために本発明は、可動接点中間の折曲部から延出した上端に上アーム部と下アーム部、及びこれらを連結する下方へ傾斜した段差部を設けると共に、下アーム部先端を操作体の支点部下面の保持部に、上アーム部を操作体の操作部下方の押圧部に当接させてスイッチを構成したものであり、操作体を押圧操作した状態では、押圧部が段差部下方の下アーム部に、操作体が復帰した状態では、押圧部が段差部上方の上アーム部に各々当接して可動接点の弾性変形が行われるため、接触部の固定接点上面への弾接力や、操作体を上方へ付勢する力を小さくすることなく、安定した電気的接離や確実な動作が行えると共に、上アーム部と下アーム部の段差分は、全体の薄型化を図ることが可能なスイッチを得ることができるという作用を有する。
【発明の効果】
【００２１】
以上のように本発明によれば、小型薄型化が図れ、動作の確実なスイッチを実現することができるという有利な効果が得られる。
【発明を実施するための最良の形態】
【００２２】
以下、本発明の実施の形態について、図１〜図３を用いて説明する。
【００２３】
なお、背景技術の項で説明した構成と同一構成の部分には同一符号を付して、詳細な説明を簡略化する。
【００２４】
（実施の形態１）
図１は本発明の一実施の形態によるスイッチの断面図、図２は同分解斜視図であり、同図において、１１は液晶ポリマーやポリフェニレンサルファイト等の絶縁樹脂製で上面開口の略箱形のケース、２は銅合金等の導電金属薄板製の固定接点で、複数の固定接点２がケース１１の内底面にインサート成形等によって植設固定されると共に、その端子部２Ａが各々外方へ延出している。
【００２５】
そして、１３は液晶ポリマーやナイロン等の絶縁樹脂製の操作体で、左端の支点部１３Ａを支点として揺動可能にケース１１内に収納されると共に、右端に形成された操作部１３Ｂがケース１１上面の開口部から上方へ突出している。
【００２６】
また、１４は銅合金等の弾性金属薄板製の可動接点で、やや撓んだ状態でケース１１内に収納されると共に、中間には略Ｕ字状の折曲部１４Ａが形成され、この折曲部１４Ａから下端へ延出した略円弧状の接触部１４Ｂが、ケース１１内底面に弾接している。
【００２７】
さらに、この折曲部１４Ａから延出した上端には、上アーム部１４Ｃと下アーム部１４Ｄ、及びこれらを連結する下方へ傾斜した段差部１４Ｅが設けられて、上アーム部１４Ｃと下アーム部１４Ｄの間に段差が形成されると共に、下アーム部１４Ｄ先端が操作体１３の支点部１３Ａ下面の保持部１３Ｃに、上アーム部１４Ｃが操作体１３の操作部１３Ｂ下方に形成された押圧部１３Ｄに、各々弾接している。
【００２８】
また、５は鋼板等の金属薄板製のカバーで、このカバー５がケース１１上面の開口部を覆うと共に、カバー５上面の貫通孔から操作体１３の操作部１３Ｂが上方へ突出して、スイッチが構成されている。
【００２９】
なお、このように構成されたスイッチは、背景技術の項で説明したスイッチに比べ、上アーム部１４Ｃと下アーム部１４Ｄの段差分、ケース１１の高さ寸法が小さく、即ち、上下方向のスイッチの薄型化が図られたものとなっている。
【００３０】
そして、このようなスイッチは、上下面に複数の配線パターンが形成された配線基板（図示せず）上に載置され、ケース１１から延出した固定接点２の端子部２Ａが、所定の配線パターンに半田付けされて、機器の電子回路に電気的に接続される。
【００３１】
以上の構成において、テープやディスク等の記録媒体の挿抜、或いはツマミや扉等のメカニズムによって、ケース１１上方へ突出した操作部１３Ｂが押圧操作されると、図３の断面図に示すように、操作体１３が支点部１３Ａを支点として下方向へ揺動する。
【００３２】
これによって、可動接点１４の上アーム部１４Ｃが操作体１３の押圧部１３Ｄに押圧されて、中間の折曲部１４Ａが撓み、ケース１１の内底面に弾接した可動接点１４下端の接触部１４Ｂが、固定接点２の方向へケース１１内底面上を弾接摺動する。
【００３３】
そして、この可動接点１４の揺動に伴い、押圧部１３Ｄが上アーム部１４Ｃから段差部１４Ｅを経て弾接摺動して、下アーム部１４Ｄを押圧し、操作部１３Ｂが所定量押圧されると、接触部１４Ｂが固定接点２上面に弾接し、可動接点１４を介して複数の固定接点２間が電気的に接続される。
【００３４】
なお、この時、押圧部１３Ｄが上アーム部１４Ｃより低い位置の下アーム部１４Ｄを押圧して、可動接点１４が撓められ、この力によって接触部１４Ｂが固定接点２上面に弾接するため、接触部１４Ｂの固定接点２上面への弾接力は、背景技術の項で説明したスイッチと同等のものとなっている。
【００３５】
また、操作体１３への操作力が解除されると、可動接点１４の弾性復帰力によって、操作体１３が上方向に押圧されて揺動すると共に、接触部１４Ｂも固定接点２からケース１１内底面へ弾接摺動して離れ、複数の固定接点２間が切断された、図４の状態に復帰する。
【００３６】
そして、この時、押圧部１３Ｄが下アーム部１４Ｄから段差部１４Ｅを経て弾接摺動し、下アーム部１４Ｄより高い位置の上アーム部１４Ｃを押圧して、可動接点１４が撓められ、この力によって操作体１３が上方へ付勢されているため、復帰時の操作体１３の付勢力も、背景技術の項で説明したスイッチと同等のものとなっている。
【００３７】
つまり、中間の折曲部１４Ａから延出した可動接点１４上端に上アーム部１４Ｃと、下方へ傾斜した段差部１４Ｅにより連結された下アーム部１４Ｄを設けることによって、スイッチの上下方向の薄型化が図られているにも関わらず、操作体１３を押圧操作した状態では、押圧部１３Ｄが下アーム部１４Ｄに、操作体１３が復帰した状態では、押圧部１３Ｄが上アーム部１４Ｃに各々当接することによって、押圧操作時の接触部１４Ａの固定接点２上面への弾接力や、操作力を解除した際の操作体１３の復帰力は、背景技術の項で説明したスイッチと同等の力が得られるように構成されている。
【００３８】
このように本実施の形態によれば、可動接点１４中間の折曲部１４Ａから延出した上端に上アーム部１４Ｃと下アーム部１４Ｄ、及びこれらを連結する下方へ傾斜した段差部１４Ｅを設けると共に、操作体１３を押圧操作した状態では、押圧部１３Ｄが段差部１４Ｅ下方の下アーム部１４Ｄに、操作体１３が復帰した状態では、押圧部１３Ｄが段差部１４Ｅ上方の上アーム部１４Ｃに各々当接して可動接点１４の弾性変形を行わせることによって、接触部１４Ｂの固定接点２上面への弾接力や、操作体１３を上方へ付勢する力を小さくすることなく、安定した電気的接離や確実な動作が行えると共に、上アーム部１４Ｃと下アーム部１４Ｄの段差分、スイッチ全体の薄型化を図ることができるものである。
【産業上の利用可能性】
【００３９】
本発明によるスイッチは、小型薄型化が可能で動作の確実なものが得られ、主に各種電子機器の検出用スイッチとして有用である。
【図面の簡単な説明】
【００４０】
【図１】本発明の一実施の形態によるスイッチの断面図
【図２】同分解斜視図
【図３】同押圧操作時の断面図
【図４】従来のスイッチの断面図
【図５】同押圧操作時の断面図
【符号の説明】
【００４１】
２  固定接点
２Ａ  端子部
５  カバー
１１  ケース
１３  操作体
１３Ａ  支点部
１３Ｂ  操作部
１３Ｃ  保持部
１３Ｄ  押圧部
１４  可動接点
１４Ａ  折曲部
１４Ｂ  接触部
１４Ｃ  上アーム部
１４Ｄ  下アーム部
１４Ｅ  段差部
【図１】
0004595741.tif 000002
【図２】
0004595741.tif 000003
【図３】
0004595741.tif 000004
【図４】
0004595741.tif 000005
【図５】
0004595741.tif 000006